(57)【要約】【課題】  冗長構成の送信機を適切な切り替えタイミングで切り替えることが可能な、送信システム、送信装置、送出装置及び切り替え方法を提供する。【解決手段】  送信システム１は、ＴＳ（Ｔｒａｎｓｐｏｒｔ  Ｓｔｒｅａｍ）を生成するＴＳ生成部１１１と、ＣＭ（Ｃｏｍｍｅｒｃｉａｌ  Ｍｅｓｓａｇｅ）放送中、ＴＳにＣＭ放送中であることを示すＣＭ情報を付加するＣＭ情報付加部１１２とを有する送出装置１１と、現用の送信機１２１と、予備の送信機１２２と、送信機の切り替えを検知する切替検知部１２３と、ＴＳにＣＭ情報が含まれているか検知するＣＭ情報検知部１２４と、切り替え及びＣＭ情報を検知した場合、ＣＭ情報が検知されなくなった後に切り替えを実行する切替制御部１２５と、を有する送信装置１２と、を有する。【選択図】      図１
2020043539.tif 000002
【特許請求の範囲】
【請求項１】
ＴＳ（Ｔｒａｎｓｐｏｒｔ  Ｓｔｒｅａｍ）を生成するＴＳ生成部と、ＣＭ（Ｃｏｍｍｅｒｃｉａｌ  Ｍｅｓｓａｇｅ）放送中、前記ＴＳにＣＭ放送中であることを示すＣＭ情報を付加するＣＭ情報付加部とを有する送出装置と、
現用の送信機と、予備の送信機と、送信機の切り替えを検知する切替検知部と、前記ＴＳに前記ＣＭ情報が含まれているか検知するＣＭ情報検知部と、前記切り替え及び前記ＣＭ情報を検知した場合、前記ＣＭ情報が検知されなくなった後に前記切り替えを実行する切替制御部とを有する送信装置と、
を有する送信システム。
【請求項２】
前記ＣＭ情報付加部は、前記ＴＳを構成するＴＳパケットのアダプテーションフィールドに前記ＣＭ情報を付加する請求項１に記載の送信システム。
【請求項３】
放送する番組、ＣＭの放送スケジュールに従って番組及びＣＭ等の映像、音声、データを含む素材信号及びＣＭ放送中であることを示すＣＭ放送中信号を前記送出装置へ送出する自動番組制御装置を有し、
前記ＴＳ生成部は、前記素材信号に基づいて前記ＴＳを生成し、
前記ＣＭ情報付加部は、前記ＣＭ放送中信号を受信している間、前記ＴＳに前記ＣＭ情報を付加する、
請求項１又は２に記載の送信システム。
【請求項４】
前記自動番組制御装置は、
ＣＭ放送中、前記ＣＭ放送中信号を前記ＣＭ情報付加部に送信するＣＭ放送中信号出力部と、
前記放送スケジュールに従ってＣＭ放送開始時刻になるとＣＭ放送開始通知を前記ＣＭ放送中信号出力部に出力し、ＣＭ放送終了時刻になるとＣＭ放送終了通知を前記ＣＭ放送中信号出力部に出力するスケジュール管理部と、
を有する請求項３に記載の送信システム。
【請求項５】
ＴＳ（Ｔｒａｎｓｐｏｒｔ  Ｓｔｒｅａｍ）を生成するＴＳ生成部と、
ＣＭ（Ｃｏｍｍｅｒｃｉａｌ  Ｍｅｓｓａｇｅ）放送中、前記ＴＳにＣＭ情報を付加するＣＭ情報付加部と、
を有する送出装置。
【請求項６】
現用の送信機と、
予備の送信機と、
送信機の切り替えを検知する切替検知部と、
入力されるＴＳ（Ｔｒａｎｓｐｏｒｔ  Ｓｔｒｅａｍ）に、ＣＭ（Ｃｏｍｍｅｒｃｉａｌ  Ｍｅｓｓａｇｅ）放送中であることを示すＣＭ情報が含まれているか検知するＣＭ情報検知部と、
前記切り替え及び前記ＣＭ情報を検知した場合、前記ＣＭ情報が検知されなくなった後に前記切り替えを実行する切替制御部と、
を有する送信装置。
【請求項７】
ＴＳ（Ｔｒａｎｓｐｏｒｔ  Ｓｔｒｅａｍ）を生成し、
ＣＭ（Ｃｏｍｍｅｒｃｉａｌ  Ｍｅｓｓａｇｅ）放送中、前記ＴＳにＣＭ放送中であることを示すＣＭ情報を付加し、
送信機の切り替えを検知し、
前記ＴＳに前記ＣＭ情報が含まれているか検知し、
前記切り替え及び前記ＣＭ情報を検知した場合、前記ＣＭ情報が検知されなくなった後に前記切り替えを実行する、
切り替え方法。
【発明の詳細な説明】
【技術分野】
【０００１】
本発明は、送信システム、送信装置、送出装置及び切り替え方法に関し、特に、送信装置が複数台の送信機を備え送出装置からの信号を送信する送信機を切り替える送信システム、送信装置、送出装置及び切り替え方法に関する。
【背景技術】
【０００２】
テレビ放送に用いられる送信システムにおいては、テレビ局に備えられた送出装置から送信所に備えられた送信装置に放送用の信号を送信し、送信装置が放送電波に変換して各家庭へ送信する。送出装置や送信装置内部の機器は冗長構成となっており、使用されている運用系の機器に障害が発生した時などに、冗長系の機器への切り替えが行われている。例えば特許文献１には、本線系統の機器に障害が発生した場合、切り替えコントローラにより系統切替器を切り替え制御し、サーバ装置から出力された冗長系統のＩＳＤＢ−Ｔ  ＴＳ信号を後段へ導出する番組送出システムが開示されている。
【０００３】
また、例えば特許文献２には、第１の放送データを生成する第１のシステム処理系と、第１の放送データと同様の第２の放送データを生成する第２のシステム処理系と、設定された方式に応じて切り替えを実施するための切り替え手段とを備える放送マスターシステムが開示されている。また特許文献２に開示される放送マスターシステムは、異常が検出された場合、例えばＣＭ（Ｃｏｍｍｅｒｃｉａｌ  Ｍｅｓｓａｇｅ：コマーシャルメッセージ）の途中ではないなどの切り替え条件が満たされているのであれば、切り替えを自動的に開始するように切り替え手段を設定する。また特許文献２に開示される放送マスターシステムは、切り替え条件が満たされていないのであれば、切り替えを開始するタイミングをオペレータが手動で切り替え手段に指示可能にするための半自動切り替え機能を備えている。
【先行技術文献】
【特許文献】
【０００４】
【特許文献１】特開平０６−２７６０２１号公報
【特許文献２】特開平０４−１５６１１３号公報
【発明の概要】
【発明が解決しようとする課題】
【０００５】
テレビ放送においては、ＣＭ放送の映像や音声に乱れが発生しないことが強く望まれている。しかしながら特許文献１に開示されている構成では、例えばＣＭ放送時に、送出装置の本線系統の機器に障害が発生した場合、冗長系への切り替えが行われ、ＣＭ放送の映像や音声が乱れる恐れがある。特許文献１には切り替えタイミングを適切に制御する構成までは開示されていない。
【０００６】
また特許文献２に開示されている構成では、切り替え条件としてＣＭ放送の途中ではないとの条件が設定されていれば、ＣＭ放送の途中に異常が検出された場合、切り替えを開始するタイミングをオペレータが手動で切り替え手段に指示可能にする。したがって特許文献２に開示されている構成では、オペレータが監視システムでＣＭを放送していないことを確認しながら切り替え操作を行う必要があり、番組を参照する監視システムを設ける必要がある。また切り替えが人の操作に依存し切り替えが適切なタイミングとならない恐れもある。
【０００７】
本発明は、冗長構成の送信機を適切な切り替えタイミングで切り替えることが可能な、送信システム、送信装置、送出装置及び切り替え方法を提供することを主な目的としている。
【課題を解決するための手段】
【０００８】
本発明の１つの側面による送信システムは、ＴＳ（Ｔｒａｎｓｐｏｒｔ  Ｓｔｒｅａｍ）を生成するＴＳ生成部と、ＣＭ（Ｃｏｍｍｅｒｃｉａｌ  Ｍｅｓｓａｇｅ）放送中、前記ＴＳにＣＭ放送中であることを示すＣＭ情報を付加するＣＭ情報付加部とを有する送出装置と、現用の送信機と、予備の送信機と、送信機の切り替えを検知する切替検知部と、前記ＴＳに前記ＣＭ情報が含まれているか検知するＣＭ情報検知部と、前記切り替え及び前記ＣＭ情報を検知した場合、前記ＣＭ情報が検知されなくなった後に前記切り替えを実行する切替制御部と、を有する。
【０００９】
本発明の１つの側面による送出装置は、ＴＳ（Ｔｒａｎｓｐｏｒｔ  Ｓｔｒｅａｍ）を生成するＴＳ生成部と、ＣＭ（Ｃｏｍｍｅｒｃｉａｌ  Ｍｅｓｓａｇｅ）放送中、前記ＴＳにＣＭ情報を付加するＣＭ情報付加部と、を有する。
【００１０】
本発明の１つの側面による送信装置は、現用の送信機と、予備の送信機と、送信機の切り替えを検知する切替検知部と、入力されるＴＳ（Ｔｒａｎｓｐｏｒｔ  Ｓｔｒｅａｍ）に、ＣＭ（Ｃｏｍｍｅｒｃｉａｌ  Ｍｅｓｓａｇｅ）放送中であることを示すＣＭ情報が含まれているか検知するＣＭ情報検知部と、前記切り替え及び前記ＣＭ情報を検知した場合、前記ＣＭ情報が検知されなくなった後に前記切り替えを実行する切替制御部と、を有する。
【００１１】
本発明の１つの側面による切り替え方法は、ＴＳ（Ｔｒａｎｓｐｏｒｔ  Ｓｔｒｅａｍ）を生成し、ＣＭ（Ｃｏｍｍｅｒｃｉａｌ  Ｍｅｓｓａｇｅ）放送中、前記ＴＳにＣＭ放送中であることを示すＣＭ情報を付加し、送信機の切り替えを検知し、前記ＴＳに前記ＣＭ情報が含まれているか検知し、前記切り替え及び前記ＣＭ情報を検知した場合、前記ＣＭ情報が検知されなくなった後に前記切り替えを実行する。
【発明の効果】
【００１２】
本発明の上記側面によれば、冗長構成の送信機を適切な切り替えタイミングで切り替えることが可能となる。
【図面の簡単な説明】
【００１３】
【図１】図１は、第１の実施形態の放送システムの構成の一例を示すブロック図である。
【図２】図２は、図１のＴＳ送出の動作を示すフローチャートである。
【図３】図３は、図１の送信機切り替えの動作を示すフローチャートである。
【図４】図４は、第２の実施形態の放送システムの構成の一例を示すブロック図である。
【図５】図５は、図４のＴＳ送出の動作を示すフローチャートである。
【図６】図６は、図４の送信機切り替えの動作を示すフローチャートである。
【発明を実施するための形態】
【００１４】
次に例示的な第１の実施形態について図面を参照して説明する。図１は、第１の実施形態の送信システムの構成の一例を示すブロック図である。
【００１５】
送信システム１は、図１に示すように、送出装置１１と送信装置１２とを備えている。送出装置１１は、入力される番組及びＣＭ等の素材信号からＴＳ（Ｔｒａｎｓｐｏｒｔ  Ｓｔｒｅａｍ）を生成するＴＳ生成部１１１と、入力される放送スケジュールに基づいてＣＭ（Ｃｏｍｍｅｒｃｉａｌ  Ｍｅｓｓａｇｅ）放送中であると判断すると、ＣＭ放送中であることを示すＣＭ情報をＴＳに付加するＣＭ情報付加部１１２を備えている。
【００１６】
ＴＳ生成部１１１は、例えば、入力された番組及びＣＭ等の素材信号を圧縮し分割してパケット化したＴＳパケットを生成することでＴＳを生成する。
【００１７】
ＣＭ情報付加部１１２は、例えば、ＴＳを構成するＴＳパケットのアダプテーションフィールドにＣＭ情報を付加して送信機システム２４に送信する。
【００１８】
送信装置１２は、複数の送信機を冗長に備えている。例えば図１に示すように送信装置１２は２つの送信機２４１、２４２を備える。送信機２４１が本放送に使用されている現用の送信機となる場合は、送信機２４２の出力は本放送には使用されず、送信機２４２は予備の送信機となる。現用の送信機１２１及び予備の送信機１２２は、送出装置１１から送出されたＴＳを変調してＲＦ（Ｒａｄｉｏ  Ｆｒｅｑｕｅｎｃｙ）信号を出力する。
【００１９】
また送信装置１２は、送信機の切り替えを検知する切替検知部１２３と、ＴＳにＣＭ情報が含まれているか検知するＣＭ情報検知部１２４と、切り替え及びＣＭ情報を検知した場合、ＣＭ情報が検知されなくなった後に切り替えを実行する切替制御部１２５と、を備えている。
【００２０】
切替検知部１２３は、例えば操作者が送信機の切り替えを指示する操作を行う、図示しない操作部を備えている。切替検知部１２３は、図示しない操作部に操作者により送信機の切り替えの操作がされたか判断することによって送信機切り替えの指示がされているか検知する。
【００２１】
ＣＭ情報検知部１２４は、送信装置１２に入力されているＴＳにＣＭ情報が含まれているか検知する。ＣＭ情報検知部１２４は、検知した結果を切替制御部１２５に出力する。
【００２２】
切替制御部１２５は、送信装置１２に入力されているＴＳにＣＭ情報が含まれていないと判断した場合は、切り替えを実行する。また切替制御部１２５は、ＴＳにＣＭ情報が含まれていると判断した場合は、切り替えを実行しないで、ＣＭ情報が検知されなくなった後に切り替えを実行する。送信機１２１が現用の送信機であり、送信機１２２が予備の送信機とされている状態から送信機の切り替えを実行する際、切替制御部１２５は、現用の送信機１２１の出力を図示しないＲＦ信号送信用のアンテナから切り離し、予備の送信機１２２の出力を図示しないアンテナに接続するように送信機の切り替えを実行する。
【００２３】
次に、本発明の動作について説明する。図２は、図１のＴＳ送出の動作を示すフローチャートである。
【００２４】
送出装置１１のＴＳ生成部１１１は、入力された番組及びＣＭ等の素材信号からＴＳを生成する（ステップＳ１）。
【００２５】
送出装置１１のＣＭ情報付加部１１２は、入力される放送スケジュールに基づいてＣＭ放送中か判断し（ステップＳ２）、ＣＭ放送中、ＴＳにＣＭ情報を付加して、ＣＭ情報を含むＴＳを送信装置１２に送出する（ステップＳ３）。
【００２６】
ステップＳ２においてＣＭ放送中でなければ、送出装置１１のＣＭ情報付加部２３３は、ＣＭ情報を含まないＴＳを送信装置１２に送信する（ステップＳ４）。
【００２７】
次に、本発明の送信機切り替えの動作について、図３を参照して説明する。図３は、図１の送信機切り替えの動作を示すフローチャートである。
【００２８】
切替制御部１２５は、送信機切り替えの指示がされているか判断する。具体的には切替制御部１２５は、切替検知部１２３が送信機切り替えの指示を検知しているか判断する（ステップＳ５）。
【００２９】
切替検知部１２３が切り替えの指示を検知していると判断すると、切替制御部１２５は、送信装置１２に入力されているＴＳにＣＭ情報が含まれているか判断する。具体的にはＣＭ情報検知部１２４が、送信装置１２に入力されているＴＳにＣＭ放送中であることを示すＣＭ情報が含まれていると検知しているか、切替制御部１２５が判断する（ステップＳ６）。
【００３０】
ＴＳにＣＭ情報が含まれていると判断した場合は、切替制御部１２５は、切り替えを実行しないで、ＣＭ情報が検知されなくなった後に切り替えを実行する（ステップＳ７）
ステップＳ６において、送信装置１２に入力されているＴＳにＣＭ情報が含まれていないと判断した場合は、切替制御部１２５は、切り替えを実行する。切替制御部１２５は、現用の送信機１２１の出力を図示しないアンテナから切り離し、予備の送信機１２２の出力を図示しないアンテナに接続するように送信機の切り替えを実行する（ステップＳ８）。
【００３１】
以上説明したように、本実施形態によれば、送出装置１１は、ＣＭ放送中、ＴＳにＣＭ情報を付加して送信装置１２に送出する。送信装置１２は、送信機切り替えの指示を検知しても、ＴＳにＣＭ情報が含まれていると判断した場合は、切り替えを実行しないで、ＣＭ情報が検知されなくなった後に切り替えを実行する。したがって、適切な切り替えタイミングで冗長構成の送信機の切り替えることが可能となる。
【００３２】
次に例示的な第２の実施形態について図面を参照して説明する。図４は、第２の実施形態の送信システムの構成の一例を示すブロック図である。
【００３３】
図４に示すように、本実施形態の送信システム２においては、ＴＳ生成部２３２及びＣＭ情報付加部２３３は、第１の実施形態の送出装置１１に対応する送出マスター２３に搭載されたエンコーダ２３１に備えられている。また冗長構成の送信機２４１、２４２と、切替検知部２４３と、ＣＭ情報検知部２４４と、第１の実施形態の切替制御部に対応する同軸切替器２４５及び同軸切替制御部２４６は、第１の実施形態の送信装置１２に対応する送信機システム２４に備えられている。
【００３４】
また本実施形態の送信システム２は、図４に示すように、放送する番組、ＣＭ及びこれらの放送スケジュールを管理する営放システム２１を備えている。また本実施形態の送信システム２は、図４に示すように、放送スケジュールに従って番組及びＣＭ等の映像、音声、データを含む素材信号の送出制御を行うＡＰＳ（Ａｕｔｏｍａｔｉｃ  Ｐｒｏｇｒａｍ  ｃｏｎｔｒｏｌ  Ｓｙｓｔｅｍ：自動番組制御装置）２２を備えている。
【００３５】
ＡＰＳ２２は、放送スケジュールに従って番組及びＣＭ等の素材信号の送出制御を行うスケジュール管理部２２１と、計画された放送スケジュールに従って番組及びＣＭ等の素材信号を生成して送出マスター２３に送出する素材信号出力部２２２を備えている。
【００３６】
スケジュール管理部２２１は、営放システム２１から放送スケジュールを受信すると図示しない記憶部に保存する。スケジュール管理部２２１は、例えば放送スケジュールに基づく番組及びＣＭ等の送出開始時に、該当する番組及びＣＭ等について素材信号出力部２２２に映像、音声、データを含む素材信号の送出開始指示を送信する。素材信号出力部２２２は、スケジュール管理部２２１からの送出開始指示に基づいて該当する番組及びＣＭ等の素材の送出マスター２３への送出を開始する。
【００３７】
またＡＰＳ２２は、ＣＭ放送中、ＣＭ放送中であることを示すＣＭ放送中信号を送出マスター２３に送信するＣＭ放送中信号出力部２２３を備えている。スケジュール管理部２２１は、営放システム２１から送信された放送スケジュールに従ってＣＭ放送中にＣＭ放送中信号を送出マスター２３に送信するようＣＭ放送中信号出力部２２３を制御する。例えば、スケジュール管理部２２１は、放送スケジュールに従ってＣＭ放送開始時刻になるとＣＭ放送開始通知をＣＭ放送中信号出力部２２３に出力し、ＣＭ放送終了時刻になるとＣＭ放送終了通知をＣＭ放送中信号出力部２２３に出力する。またＣＭ放送中信号出力部２２３は、ＣＭ放送開始通知を受信するとＣＭ放送中信号を送出マスター２３に出力し始め、ＣＭ放送終了通知を受信するとＣＭ放送中信号の出力を停止する。
【００３８】
送出マスター２３は、図４に示すようにエンコーダ２３１を備え、エンコーダ２３１は、ＴＳを生成するＴＳ生成部２３２と、ＣＭ情報をＴＳに付加するＣＭ情報付加部２３３を備えている。
【００３９】
ＴＳ生成部２３２は、入力された番組及びＣＭ等の素材信号を圧縮し分割してパケット化したＴＳパケットを生成することでＴＳを生成する。
【００４０】
ＣＭ情報付加部２３３は、ＣＭ放送中信号出力部２２３からＣＭ放送中信号を受信している間、ＴＳを構成するＴＳパケットのアダプテーションフィールドにＣＭ情報を付加して送信機システム２４に送信する。
【００４１】
送信機システム２４は、複数の送信機を冗長に備え、例えば図４に示すように、２つの送信機２４１、２４２を備える。送信機２４１が本放送に使用されている現用の送信機となる場合は、送信機２４２の出力は本放送には使用されず、送信機２４２は予備の送信機となる。
【００４２】
送信機システム２４は、さらに送信機切り替えの指示がされているか検知する切替検知部２４３と、入力されるＴＳにＣＭ情報が含まれているか検知するＣＭ情報検知部２４４を備えている。また、送信機システム２４は、送信機２４１及び送信機２４２と、アンテナ２５及びテストロード２４７との接続ルートを切り替える同軸切替器２４５と、同軸切替器２４５の接続ルートの切り替えを制御する同軸切替制御部２４６を備えている。
【００４３】
切替検知部２４３は、例えば操作者が送信機の切り替えを指示する操作を行う、図示しない操作部を備えている。切替検知部２４３は、図示しない操作部に操作者により送信機の切り替えの操作がされたか判断することによって送信機切り替えの指示がされているか検知する。
【００４４】
同軸切替制御部２４６は、送信機２４１を現用の送信機とするようにルートを切り替える場合は、送信機２４１のＲＦ出力信号をアンテナ２５へ接続し、予備の送信機２４２のＲＦ出力信号をテストロード２４７へ出力するよう同軸切替器２４５のルートを切り替える。
【００４５】
テストロード２４７は、予備の送信機２４２のＲＦ出力信号を吸収し熱として放出する。
【００４６】
次に、本発明の動作について説明する。図５は、図４のＴＳ送出の動作を示すフローチャートである。
【００４７】
営放システム２１は、放送する番組、ＣＭの素材信号及びこれらの放送スケジュールをＡＰＳ２２へ送信する（ステップＳ１１）。
【００４８】
ＡＰＳ２２の素材信号出力部２２２は、放送スケジュールに従って番組及びＣＭ等の素材信号を送出マスター２３に送出する。送出マスター２３のＴＳ生成部２３２は、入力された番組及びＣＭ等の素材信号からＴＳを生成する（ステップＳ１２）。
【００４９】
ＡＰＳ２２のＣＭ放送中信号出力部２２３は、放送スケジュールに基づいてＣＭ放送中、ＣＭ放送中であることを示すＣＭ放送中信号を送出マスター２３のＣＭ情報付加部２３３に送信する。ＣＭ情報付加部２３３は、ＣＭ放送中信号に基づいてＣＭ放送中か判断し（ステップＳ１３）、ＣＭ放送中信号出力部２２３からＣＭ放送中信号を受信している間、ＴＳを構成するＴＳパケットのアダプテーションフィールドにＣＭ情報を付加して、ＣＭ情報を含むＴＳを送信機システム２４に送信する（ステップＳ１４）。
【００５０】
ステップＳ１３においてＣＭ放送中でなければ、ＡＰＳ２２のＣＭ放送中信号出力部２２３は、ＣＭ放送中信号を送出マスター２３のエンコーダ２３１に送信しないため、送出マスター２３のＣＭ情報付加部２３３は、ＣＭ情報を含まないＴＳを送信機システム２４に送信する（ステップＳ１５）。
【００５１】
次に、本発明の送信機切り替えの動作について、図６を参照して説明する。図６は、図４の送信機切り替えの動作を示すフローチャートである。
【００５２】
同軸切替制御部２４６は、送信機切り替えの指示がされているか判断する。具体的には同軸切替制御部２４６は、切替検知部２４３が送信機切り替えの指示を検知しているか判断する（ステップＳ１６）。
【００５３】
切替検知部２４３が切り替えの指示を検知していると判断すると、同軸切替制御部２４６は、送信機システム２４に入力されているＴＳにＣＭ情報が含まれているか判断する。具体的にはＣＭ情報検知部２４４が、入力されているＴＳを構成するＴＳパケットのアダプテーションフィールドにＣＭ放送中であることを示すＣＭ情報が含まれていると検知しているか、同軸切替制御部２４６が判断する（ステップＳ１７）。
【００５４】
ＴＳにＣＭ情報が含まれていると判断した場合は、同軸切替制御部２４６は、同軸切替器２４５の切り替えを実行しないで、所定時間、待機した後、ステップＳ１６に戻って、再度、送信機システム２４に入力されているＴＳにＣＭ情報が含まれているか判断する。
【００５５】
ステップＳ１６において、送信機システム２４に入力されているＴＳにＣＭ情報が含まれていないと判断した場合は、同軸切替制御部２４６は、同軸切替器２４５の切り替えを実行する。同軸切替器２４５は、現用の送信機２４１の接続先をテストロード２４７に切り替え、予備の送信機２４２の接続先をアンテナ２５に切り替える（ステップＳ１９）。
【００５６】
以上説明した本実施形態によっても第１の実施形態と同様な効果が得られる。すなわち送出マスター２３は、ＣＭ放送中、ＴＳにＣＭ情報を付加して送信機システム２４に送出する。送信機システム２４は、送信機切り替えの指示を検知しても、ＴＳにＣＭ情報が含まれていると判断した場合は、切り替えを実行しないで、ＣＭ情報が検知されなくなった後に切り替えを実行する。したがって、ＣＭを放送しているにも関わらず操作者が切り替え操作を行ったとしても、ＣＭを放送している間には送信機の切り替えは行われず、適切な切り替えタイミングで送信機を切り替えることが可能となる。
【００５７】
以上、実施形態を参照して本発明を説明したが、本発明は上記実施形態に限定されるものではない。本発明の構成や詳細には、本発明のスコープ内で当業者が理解し得る様々な変更をすることができる。
【符号の説明】
【００５８】
１、２    送信システム
１１    送出装置
１２    送信装置
１１１    ＴＳ生成部
１１２    ＣＭ情報付加部
１２１、１２２    送信機
１２３    切替検知部
１２４    ＣＭ情報検知部
１２５    切替制御部
２１    営放システム
２２    ＡＰＳ
２２１    スケジュール管理部
２２２    素材信号出力部
２２３    ＣＭ放送中信号出力部
２３    送出マスター
２４    送信機システム
２５    アンテナ
２３１    エンコーダ
２３２    ＴＳ生成部
２３３    ＣＭ情報付加部
２４１、２４２    送信機
２４３    切替検知部
２４４    ＣＭ情報検知部
２４５    同軸切替器
２４６    同軸切替制御部
２４７    テストロード
【図１】
2020043539.tif 000003
【図２】
2020043539.tif 000004
【図３】
2020043539.tif 000005
【図４】
2020043539.tif 000006
【図５】
2020043539.tif 000007
【図６】
2020043539.tif 000008